(57)【特許請求の範囲】
【請求項１】
着座者と接して荷重を受ける荷重受面の外形に沿うように形成される外枠形成部材と、前記外枠形成部材に取り付けられ、前記荷重受面又は該荷重受面と略平行な副荷重受面を形成する荷重受面構成部材と、を備え、
前記荷重受面構成部材は、前記外枠形成部材に支持部材を介して支持され、
前記支持部材は、締結具を用いて互いに締結される第一締結部材及び第二締結部材を備え、
前記第一締結部材及び第二締結部材は、前記締結具の締め込みにより前記外枠形成部材の支持部材取り付け部に取り付けられ、
前記外枠形成部材は、前記荷重受面と交差する奥行方向で前記支持部材側に突出する突部を備え、
前記第一締結部材は、前記突部に前記荷重受面の面方向の内側方から嵌合する第一嵌合部を備え、前記第二締結部材は、前記突部に前記面方向の外側方から嵌合する第二嵌合部を備え、
前記第一締結部材及び第二締結部材は、前記締結具の締め込みにより、前記第一嵌合部及び第二嵌合部で前記突部を挟持することを特徴とする椅子用荷重支持構造。
【請求項２】
前記奥行方向は、前記荷重受面と略直交する方向であり、
前記締結具は、前記面方向及び奥行方向の両方と交差する方向で、前記第一締結部材及び第二締結部材を締結することを特徴とする請求項１に記載の椅子用荷重支持構造。
【請求項３】
前記第一締結部材は、前記第二締結部材に対して前記面方向の内側方に配置され、
前記荷重受面構成部材は、前記第一締結部材における前記第一嵌合部から前記奥行方向に離間した先端部に支持され、
前記締結具は、前記面方向の外側方より前記第二締結部材に挿入され、前記第一締結部材における前記第一嵌合部と先端部との間に螺合されることを特徴とする請求項１又は２に記載の椅子用荷重支持構造。
【請求項４】
前記突部は、その先端側に前記面方向の内側方に突出する内方突出部を備え、前記第一締結部材は、前記内方突出部に前記突部の基端側から係合するフック部を備えることを特徴とする請求項１から３の何れか一項に記載の椅子用荷重支持構造。
【請求項５】
前記第一締結部材は、前記荷重受面の面方向に沿うように長手方向を有し、
前記支持部材は、前記第一締結部材の長手方向の端部に前記第二締結部材を締結するとともに、前記第一締結部材の長手方向の端部を除く部位には、前記荷重受面側に開放する開放部を形成することを特徴とする請求項１から４の何れか一項に記載の椅子用荷重支持構造。
【請求項６】
前記荷重受面構成部材は、前記支持部材とは別部材として構成され、前記支持部材に対して前記荷重受面の面方向で位置調整可能に支持されることを特徴とする請求項１から５の何れか一項に記載の椅子用荷重支持構造。
【請求項７】
請求項１から６の何れか一項に記載の椅子用荷重支持構造を背凭れに備えることを特徴とする椅子。
【請求項８】
前記荷重受面構成部材がランバーサポートであり、該ランバーサポートとは別に、前記荷重受面を形成する主荷重受面構成部材が前記外枠形成部材に支持されることを特徴とする請求項７に記載の椅子。
【発明の詳細な説明】
【技術分野】
【０００１】
本発明は、着座者の荷重を支持する椅子用荷重支持構造及びこれを備える椅子に関する。
【背景技術】
【０００２】
上記技術分野に属する椅子として、特許文献１，２に開示されるものが公知である。
まず、特許文献１に開示される椅子では、背凭れを構成し、着座者の背中を支持する受面を構成するための張材が張設される張地支持枠にランバーサポートステー部を固着し、これにランバーサポート部材を取り付けている。こうした構成は、背凭れにランバーサポートを支持するための複雑な構造を設ける必要がなくなる点で、大きな効果を奏する。しかし、ステー部が、広幅面を荷重入力側（前後方向）に向けてなる板状であることから、荷重に起因するモーメントを大きく受けてしまうため、経年劣化が発生し易くなることが懸念される。特にこの椅子の場合、ステー部の内側端部にランバーサポート部材が取り付けられていることから、その傾向が強い。
そこで、特許文献２に開示されるような構成を採用することが考えられる。この椅子では、背凭れを構成する枠体の内側面に、ランバーサポートを支持する保持部材を、前部の外側方を向く突部と後部の突片とを嵌合させることによって、椅子の幅方向及び奥行方向の双方に位置決めして取り付けている。このような構成をとることによって、保持部材を、離間する複数の支持点で、尚且つ、枠体に面接触した状態で支持することができるので、ランバーサポートを介して保持部材に入力された荷重を、枠体に分散しながら堅牢に受け止めることが可能になる。
【先行技術文献】
【特許文献】
【０００３】
【特許文献１】特許第５５６４１０２号公報
【特許文献２】特開２０１３−０９４２８７号公報
【発明の概要】
【発明が解決しようとする課題】
【０００４】
ところで、椅子のデザインを洗練させる観点から、背凭れの外形を形成する部材を椅子の奥行方向に薄型化したものが、近年多く提案されている。こうした椅子にも、特許文献２に開示されるような構成のランバーサポートを取り付けることが望ましい。しかし、背凭れの外形を形成する部材を薄型化した場合、特許文献２のように保持部材の支持点を前後に離間させることは難しい。
【０００５】
本発明は、上記の課題に鑑みてなされたもので、背凭れの外形を形成する部材を薄型化した場合においても、ランバーサポート等の荷重支持部材を支持するための取り付け部材を、小さな面積で堅牢に取り付けることのできる椅子用荷重支持構造及び椅子を提供することを目的とする。
【課題を解決するための手段】
【０００６】
上記目的を達成するために、本発明は以下の手段を採用している。
すなわち、本発明に係る椅子用荷重支持構造は、着座者と接して荷重を受ける荷重受面の外形に沿うように形成される外枠形成部材と、前記外枠形成部材に取り付けられ、前記荷重受面又は該荷重受面と略平行な副荷重受面を形成する荷重受面構成部材と、を備え、前記荷重受面構成部材は、前記外枠形成部材に支持部材を介して支持され、前記支持部材は、締結具を用いて互いに締結される第一締結部材及び第二締結部材を備え、前記第一締結部材及び第二締結部材は、前記締結具の締め込みにより前記外枠形成部材の支持部材取り付け部に取り付けられることを特徴とする。
この構成によれば、支持部材の締結具を第一締結部材及び第二締結部材の締結とともに外枠形成部材への固定にも用いることができる。そして、締結具の締結力により第一締結部材及び第二締結部材を外枠形成部材の支持部材取り付け部に強固に固定することで、ガタのない堅牢な取り付け構造とすることができる。
このため、荷重受面構成部材が着座者の荷重を受けた際に、支持部材に外枠形成部材への固定部を支点とした倒れモーメントが作用しても、このモーメントと反対回りのモーメントが生じるように、支持部材の固定部に強固な反力をもたせることが可能となる。
したがって、外枠形成部材の断面形状が小型であったり薄く形成されたりする場合でも、外枠形成部材の小さな面積で支持部材を堅牢に固定し、もって荷重受面構成部材で着座者の荷重をしっかり受けることができる。
【０００７】
また、上記椅子用荷重支持構造において、前記外枠形成部材は、前記荷重受面と交差する奥行方向で前記支持部材側に突出する突部を備え、前記第一締結部材は、前記突部に前記荷重受面の面方向の内側方から嵌合する第一嵌合部を備え、前記第二締結部材は、前記突部に前記面方向の外側方から嵌合する第二嵌合部を備え、前記第一締結部材及び第二締結部材は、前記締結具の締め込みにより、前記第一嵌合部及び第二嵌合部で前記突部を挟持する構成でもよい。
この構成によれば、荷重受面と交差する奥行方向（荷重入力方向）に突出する突部を、奥行方向と交差する方向で挟持（締結）することで、外枠形成部材における荷重受面の面方向の小さな面積で支持部材を堅牢に固定し、もって荷重受面構成部材で着座者の荷重をしっかり受けることができる。この構成は、外枠形成部材が薄く形成されている場合に特に有効である。
【０００８】
また、上記椅子用荷重支持構造において、前記締結具は、前記面方向及び奥行方向の両方と交差する方向で、前記第一締結部材及び第二締結部材を締結する構成でもよい。
この構成によれば、締結具の締結力を荷重受面と交差する奥行方向（荷重入力方向）にも作用させることで、支持部材の固定面積を小さくしながらも、荷重受面から荷重受面構成部材に入力される荷重に対する支持部材の固定強度を高めることができる。
【０００９】
また、上記椅子用荷重支持構造において、前記第一締結部材は、前記第二締結部材に対して前記面方向の内側方に配置され、前記荷重受面構成部材は、前記第一締結部材における前記第一嵌合部から前記奥行方向に離間した先端部に支持され、前記締結具は、前記面方向の外側方より前記第二締結部材に挿入され、前記第一締結部材における前記第一嵌合部と先端部との間に螺合される構成でもよい。
この構成によれば、荷重受面構成部材に荷重受面から荷重が入力されると、第一締結部材に第二締結部材の締結部を支点としたモーメントが作用し、第一締結部材の第一嵌合部が突部に嵌合する方向に引き寄せられる。これにより、前記モーメントと反対回りのモーメントを生じさせるとともに、第一嵌合部の突部への嵌合力を高めることができる。
【００１０】
また、上記椅子用荷重支持構造において、前記突部は、その先端側に前記面方向の内側方に突出する内方突出部を備え、前記第一締結部材は、前記内方突出部に前記突部の基端側から係合するフック部を備える構成でもよい。
この構成によれば、内方突出部及びフック部により、第一締結部材と外枠形成部材との接触面積を増加させるとともに、第一締結部材ひいては支持部材の突部ひいては外枠形成部材からの離脱を効果的に抑止することができる。また、締結具による締結力によって第一締結部材が第二締結部材側へ引き寄せられたときに、より緊密に外枠形成部材の突部に嵌合させることができる。さらに、内方突出部は面方向の内側方へ延びるが、この内方突出部に対し、第一締結部材に第二締結部材の締結部を支点としたモーメントが作用した際には、第一締結部材の第一嵌合部が突部に嵌合する方向に引き寄せられるので、大きな荷重に対しても堅牢な取り付け状態を維持することができる。
【００１１】
また、上記椅子用荷重支持構造において、前記第一締結部材は、前記荷重受面の面方向に沿うように長手方向を有し、前記支持部材は、前記第一締結部材の長手方向の端部に前記第二締結部材を締結するとともに、前記第一締結部材の長手方向の端部を除く部位には、前記荷重受面側に開放する開放部を形成する構成でもよい。
この構成によれば、荷重受面の面方向において、支持部材の固定に要する部位を少なくするとともに、支持部材の開放部に対応する部位に他の機能部品を配設することができる。
【００１２】
また、上記椅子用荷重支持構造において、前記荷重受面構成部材は、前記支持部材とは別部材として構成され、前記支持部材に対して前記荷重受面の面方向で位置調整可能に支持される構成でもよい。
この構成によれば、荷重受面構成部材を荷重受面の面方向で位置調整することで、荷重受面構成部材を最小限のサイズとした上で、荷重受面の面方向に広い範囲で荷重受面構成部材を補助的な荷重支持部材として機能させることができる。
【００１３】
また、本発明は、上記した何れか一つの椅子用荷重支持構造を背凭れに備える椅子を含む。
この構成によれば、上記した何れか一つの椅子用荷重支持構造を背凭れに備えることで、着座者の背中から入力される荷重に対し、荷重受面構成部材をより堅牢に外枠形成部材に支持することができる。
【００１４】
また、上記椅子において、前記荷重受面構成部材がランバーサポートであり、該ランバーサポートとは別に、前記荷重受面を形成する主荷重受面構成部材が前記外枠形成部材に支持される構成でもよい。
この構成によれば、外枠形成部材に支持された主荷重受面構成部材により、支持部材等が外観上目立ち難くなり、より外観体裁に優れた椅子とすることができる。
【発明の効果】
【００１５】
本発明によれば、背凭れの外形を形成する部材を薄型化した場合においても、ランバーサポート等の荷重支持部材を支持するための取り付け部材を、小さな面積で堅牢に取り付けることのできる椅子用荷重支持構造及び椅子を提供することができる。
【図面の簡単な説明】
【００１６】
【図１】この発明の実施形態における椅子の左側面図である。
【図２】上記椅子の平面図である。
【図３】上記椅子の背面図である。
【図４】上記椅子の背面側斜視図である。
【図５】上記椅子の形状変更機構の作用を示す水平断面図である。
【図６】上記椅子の背凭れの正面図である。
【図７】図６のＶＩＩ−ＶＩＩ断面図である。
【図８】上記椅子のランバーサポートの斜視図である。
【図９】上記椅子のランバーサポート左側の支持部材周辺の正面図である。
【図１０】図９の右側面図である。
【図１１】図１０のＸＩ−ＸＩ断面図である。
【図１２】図１０のＸＩＩ−ＸＩＩ断面図である。
【図１３】図１０のＸＩＩＩ−ＸＩＩＩ断面図である。
【図１４】図１０のＸＩＶ−ＸＩＶ断面図である。
【図１５】図９の斜視図である。
【発明を実施するための形態】
【００１７】
以下、本発明の一実施形態について図面を参照して説明する。なお、以下の説明における前後左右等の向きは、特に記載が無ければ、椅子の座体上に背凭れに背を向けて着座した着座者における向きと同一とする。また、前記着座者における「前方」を図中矢印ＦＲで示し、前記着座者の「上方」を図中矢印ＵＰで示し、上記着座者の「左方」を図中矢印ＬＨで示す。
【００１８】
＜椅子全体＞
図１〜図４に示すように、本実施形態の椅子１は、フロアＦ上に載置される脚部２と、脚部２の上端に設置されるボックス状の支基３と、着座者が着座する座体４と、支基３の上面に取り付けられ座体４を前後スライド可能に支持する座受部材５と、支基３から後部上方側に延出して座体４に着座した着座者の背中を支持する背凭れ部８と、を備えている。この実施形態においては、脚部２、支基３、座受部材５及び座体４が椅子本体を構成している。図中適所には肘掛け１６が図示される。
【００１９】
脚部２は、キャスタ９ａ付きの多岐脚９と、多岐脚９の中央部より起立し昇降機構であるガススプリングを内蔵する脚柱１０と、を備えている。脚柱１０の下部を構成する外筒は、多岐脚９に回転不能に嵌合して支持されている。脚柱１０の上部を構成する内筒は、上端部に支基３を固定して支持するとともに、下部が外筒に水平方向で回転可能に支持されている。支基３には、脚柱１０の昇降調整機構と背凭れ部８の傾動調整機構が内蔵されている。なお、図中符号１１は支基３上における背凭れ部８の枢支軸であり、符号１２は支基３の側面に突設された傾動調整機構の操作ノブである。脚柱１０の上端部に支基３が水平方向に回転可能に取り付けられている構成であってもよい。
【００２０】
座体４は、骨格部をなす座板１３と、座板１３の上部に取り付けられる座本体１４と、を備えている。座本体１４は、詳細な図示は省略するが、座板１３の外周縁部に取り付けられる座枠（図示せず）と、座板１３の上面に設置されるウレタン等から成るクッション材（図示せず）と、座枠に張設されてクッション材の上方側を覆う合成樹脂製の張材１５と、を備えている。
【００２１】
背凭れ部８は、前端部が支基３内の傾動調整機構に連結されて支基３の後端部から斜め後部上方側に向かって延出する連結ステー１７と、連結ステー１７の後端部に連結されて連結ステー１７から上方に立ち上がるように延出する矩形枠状の背受支持体７と、背受支持体７の前面側に支持されて座体４に着座した着座者の背部を支持する背受体６と、を備えている。背受支持体７は、背受体６に入力された着座者の背部の荷重を、連結ステー１７を介して椅子本体側に支持させるための強度部品であり、剛性及び強度の充分に高い合成樹脂によって形成されている。
【００２２】
図６を併せて参照し、背凭れ部８の背受体６は、縦長の矩形枠状の背板枠１８と、背板枠１８に該背板枠１８の内側の開口１８ｄを覆うように張設される張材１９と、を備えている。背板枠１８は、弾性を有する合成樹脂によって一体に形成されている。張材１９は、伸縮性を有する合成樹脂製繊維がメッシュ状に編まれて形成されている。張材１９は、比較的高い張力をもって背板枠１８に張設される。張材１９の外周端部は、背板枠１８の外周端面に形成された保持溝内に適宜手段によって係止、固定されている。背板枠１８及び張材１９は、座体４に着座した着座者の背部と接触して着座者の背部の荷重を直接受け止める。張材１９が形成する前面（背板枠１８の前面を含む）は、着座者からの荷重を受ける荷重受面となる。図示都合上、張材１９の図示を略すことがある。
【００２３】
図１、図２、図６を参照し、背受体６の背板枠１８は、正面視では四隅が丸みを帯びた縦長の略矩形状に形成されている。背板枠１８は、側面視では上下方向の下から３分の１程度の高さ位置が前方側に最も膨出するように前方側に凸に湾曲して形成されている。背板枠１８の上辺１８ａは、上部後方側に向かって水平方向に近づくように大きく傾斜している。背板枠１８は、平面視では左右方向の中央領域が後方側に若干窪むように湾曲している。背板枠１８の前方側に最も膨出する領域は、座体４に着座した着座者のほぼ腰部付近を支持する領域に設定されている。以下、背板枠１８の前方側に膨出する部位を前方突出部２０とする。
【００２４】
背板枠１８の左右の側辺１８ｃは、側面視で前方に凸の屈曲形状をなして、前方突出部２０を形成する。すなわち、前方突出部２０は、側面視で背板枠１８の下端部よりもやや上方の位置（着座者の腰部に対応する高さ）を前方に突出させるように屈曲する。背板枠１８は、上辺１８ａの左右中央部と下辺１８ｂの左右中央部とで背受支持体７に固定されている。
【００２５】
図１、図３、図４を参照し、背受支持体７は、背面視（正面視と同等）では下方側が若干窄まった縦長の略矩形枠状に形成されている。より正確には、左右の側辺７ｃの上半部は相互に略平行になるように上下方向に延出し、左右の側辺７ｃの下半部は下方に向かって次第に離間幅が狭まるように傾斜している。左右の側辺７ｃの上端部同士は、左右方向に略水平に延出する上辺７ａによって連結され、左右の側辺７ｃの下端部同士は、上辺７ａよりも延出長さの短い下辺７ｂによって連結されている。背受支持体７の上辺７ａ及び下辺７ｂは肉厚のブロック状に形成され、左右両側の側辺７ｃは薄肉の板状に形成されている。
【００２６】
背受支持体７は、側面視では、側辺７ｃの上下方向の下から３分の１程度の高さ位置が前方側に最も膨出するように前方側に凸に湾曲して形成されている。この最も前方に膨出する部位である前方突出部２１は、背板枠１８の前方突出部２０の背後に設けられている。背受支持体７の上辺７ａの中央領域は、椅子１を取り回すための取手として機能する。
【００２７】
背受支持体７の左右の側辺７ｃは、側面視で前方に凸の屈曲形状をなして前方突出部２１を形成する。すなわち、前方突出部２１は、側面視で背受支持体７の下端部よりもやや上方の位置（着座者の腰部に対応する高さ）を前方に突出させるように屈曲する。
【００２８】
＜湾曲形状変更手段＞
背受支持体７の左右の側辺７ｃの前方突出部２１と、背板枠１８の左右の側辺１８ｃの前方突出部２０との間には、背板枠１８の前方突出部２０の膨出高さを変えることによって背受体６の側縁の湾曲形状を変更する形状変更機構２４が介装されている。
【００２９】
図５に示すように、形状変更機構２４は、背受体６の幅方向（以下、椅子幅方向ということがある。）における中央部と両端部とを前後に相対移動させて、背受体６の湾曲形状を変更する。なお、椅子幅方向は背板枠１８の左右端部に渡る方向（背幅方向）であり、本実施形態では左右方向に相当する。また、背板枠１８の上下端部に渡る方向（概ね上下方向に相当）を高さ方向とする。
【００３０】
形状変更機構２４は、背受体６（背板枠１８）の左右中央部の上下を背受支持体７に移動を制限した状態に保持する。背受体６（背板枠１８）の左右両端部は、背受支持体７に対して前後に移動可能な移動端部とされる。移動端部は、背受支持体７に対して比較的自由に移動可能な背受体６の自由端であり、背受支持体７に対して前後に移動可能な構成となっている。
【００３１】
前記移動端部は、左右中央部の上下を支点とする背受体６（背板枠１８）の弾性変形によって、前後に移動可能である。移動端部は、背受体６の前方突出部２０に対応する位置に設けられている。背受体６の前方突出部２０に対応する位置には、形状変更機構２４の操作レバー２４ａが配置されている。移動端部は、操作レバー２４ａによる押圧によって弾性変形し、前後に移動する構成となっている。
【００３２】
操作レバー２４ａは、背受支持体７の側辺７ｃに支持されている。操作レバー２４ａは、背受支持体７に回転可能に支持される基端部２４ｂと、基端部２４ｂを中心に回動して背受体６の対向面を押圧する先端部２４ｃと、を有する。背受体６における操作レバー２４ａとの対向面には、先端部２４ｃの回動軌跡に沿って先端部２４ｃを摺動可能な係合溝２４ｄが設けられている。
【００３３】
図６を併せて参照し、係合溝２４ｄは、背受体６の背後で両端部の外形に沿って設けられ、高さ方向に延在している。係合溝２４ｄは、背板枠１８の前方突出部２０に対応する位置の上下に渡るように設けられ、その下部は、背板枠１８の前方突出部２０より下側の傾斜形状に沿って椅子幅方向内側に曲がるように形成されている。係合溝２４ｄは、所定の摺動性を有し、操作レバー２４ａのボール状の先端部２４ｃを保持して上下に摺動させる。
【００３４】
操作レバー２４ａは、先端部２４ｃが係合溝２４ｄに係合する一方、基端部２４ｂが椅子幅方向に延びる回転軸を介して背受支持体７の側辺７ｃに支持されている。基端部２４ｂは、回転軸の軸線と交差する方向にも揺動可能な遊びを有しており、操作レバー２４ａは、係合溝２４ｄの湾曲に沿って先端部２４ｃを椅子幅方向にも移動可能としている。
【００３５】
操作レバー２４ａは、例えば上方に引き上げるように操作すると、背受体６及び背受支持体７の互いに対向する対向面間で突っ張り、背受支持体７に比して可撓性の高い背受体６を前方に弾性変形させる。背受体６の両端部が前方に移動すると、背受体６の曲率が大きくなり、図５に示すように、背受体６の湾曲形状が形状Ｃ１から形状Ｃ２に変化する。この状態から、操作レバー２４ａを下方に降ろすように操作すると、背受体６が弾性変形状態から復元して両端部を後方に移動させ、背受体６の湾曲形状が形状Ｃ２から形状Ｃ１に戻る。
【００３６】
背受体６の背後は、背受支持体７によって支えられているため、背受支持体７によって強度を確保できる分、背受体６の剛性を下げても着座者の荷重を受けることができる。したがって、背受体６に十分な弾性を与えて背受体６の湾曲形状を大きく変更させることができる。
形状変更機構２４により前後移動する背受体６の前方突出部２０は、着座者の腰部を支持することで座り心地に影響する部分であり、この前方突出部２０に対応する位置を前後移動させることで、着座者の身体に対するフィット感（換言すれば着座感）を容易に変更可能である。
【００３７】
＜背受支持体の側辺の断面＞
図７、図１１〜図１４に示すように、背受支持体７における上下方向に延出する左右一対の側辺（杆材）７ｃは、左右方向に延出幅を持つ板状の側辺本体部７ｃ１と、側辺本体部７ｃ１の椅子幅方向内側の端部から前方側（背受体６側）に向かって突出する補強リブ７ｃ２と、を有している。各図の断面は側辺７ｃの上下方向に直交する断面であり、この断面視において、側辺７ｃは、荷重受面と略直交する奥行方向（概ね前後方向）に対して椅子幅方向に広幅をなす断面形状を有している。
【００３８】
側辺本体部７ｃ１は、前方側に向かって突出する補強リブ７ｃ２と鋭角をなすように、椅子幅方向の内側から外側に向かって前方側に傾斜している。側辺本体部７ｃ１は、補強リブ７ｃ２が形成される椅子幅方向の内側から外側に向かって、前後方向の厚みが漸減する断面形状に形成されている。
すなわち、側辺本体部７ｃ１は、椅子幅方向の内側の肉厚が最も厚く、椅子幅方向の外側に向かうにつれて肉厚が徐々に薄くなる。側辺本体部７ｃ１の後面は、各図の断面視で、椅子幅方向の内側の端部から外側の端部に向かって、後方側が凸となる湾曲形状に形成されている。
【００３９】
図７を参照し、側辺本体部７ｃ１の斜め前方側への延出幅Ｌは、上下方向の全域で一定ではなく、上方から下方に向かって徐々に広がっている。同様に、補強リブ７ｃ２の前方側への突出高さＨは、上下方向の全域で一定ではなく、上方から下方に向かって徐々に高くなっている。このように、上方から下方に向かって断面形状が次第に拡大する背受支持体７の左右の側辺７ｃは、これらの下端部が肉厚ブロック状の下辺７ｂで相互に連結され、その下辺７ｂが連結ステー１７を介して椅子本体に支持されている。
【００４０】
背受支持体７の左右の側辺７ｃは、前述のように、上下方向の中央よりも下方の位置に、前方側に突出する前方突出部２１を有している。図１０、図１５を参照し、前方突出部２１において、補強リブ７ｃ２は、側面視で前方に凸の山形をなす延長片２３が一体形成されている。延長片２３の頂部には、形状変更機構２４の操作レバー２４ａの基端部２４ｂが回動可能に保持されている。
【００４１】
側辺７ｃは、側辺本体部７ｃ１の前後方向の厚みが椅子幅方向外側に向けて漸減する断面形状に形成されているので、側辺本体部７ｃ１の厚みが一定の断面形状である場合と比べて、背受支持体７の型成形時に側辺本体部７ｃ１の後面の補強リブ７ｃ２の突設部分に対応する部分にヒケが生じても、そのヒケは局部的に急激に深くならず、椅子幅方向外側に向けて緩やかに浅くなるため、外部からは目立ち難くなる。
【００４２】
また、側辺７ｃは、椅子幅方向の内側領域においては、肉厚を厚くするとともに補強リブ７ｃ２が形成されることで、充分に高い剛性を確保することができる。一方、さして剛性を要求されない側辺７ｃの椅子幅方向の外側領域においては、肉厚を薄くして全体の軽量化及びスリム化を図ることができる。
【００４３】
＜ランバーサポート＞
ところで、形状変更機構２４は、背受体６の幅方向における中央部と両端部とを前後に相対移動させて曲率を変えるものであるが、湾曲内周側に位置する背受体６の張材１９は、形状変更機構２４により曲率を変更される前の状態における背板枠１８に、着座者の背中を支持するだけの張力を発揮するように張設されているため、背受体６の曲率が大きくなると、背板枠１８の左右側辺１８ｃ同士の距離が椅子幅方向に小となることにより、形状変更機構２４近傍において局所的に張材１９の張力が低下する。この部位に着座者の背中が触れると、張材１９の他部位は張力が維持されたままであることから、違和感を感じる虞がある。一方、背受体６に荷重支持力を発揮する部材を追加すると、背受体６の弾性を低下させて形状変更し難くなる虞がある。そこで、椅子１においては、張材１９の背面側にランバーサポート２５を設置し、このランバーサポート２５を背受体６から独立して背受支持体７に支持している。
【００４４】
図７、図８、図１４、図１５を参照し、ランバーサポート２５は、略一定の上下幅で椅子幅方向に延びて張材１９に沿う副荷重受面を形成するサポート本体２５ａと、サポート本体２５ａの幅方向外側の端部から後方へ段差状に変位した後に幅方向外側に延びる外側フランジ２５ｂと、外側フランジ２５ｂの上下中間部のやや上寄りの部位から後方に起立する立壁２５ｃと、立壁２５ｃの先端部の上下から幅方向内側に起立する上下係合爪２５ｄと、を有する。サポート本体２５ａは、平面視で張材１９に沿うように後方に凸の緩やかな湾曲状に形成される。
【００４５】
サポート本体２５ａの上下中間部における幅方向の両外側を避けた領域には、幅方向に延びるスリット２５ｅが形成される。スリット２５ｅの周縁からは、後方に向けて短リブ２５ｆが起立する。短リブ２５ｆの幅方向両端部は、後方への突出高さを増すことで左右一対の突出片２５ｇとして構成される。左右突出片２５ｇは、上下移動可能に支持されたランバーサポート２５の操作片として機能する。サポート本体２５ａの上下の縁部には、後方へ起立する短リブ２５ｈが形成される。外側フランジ２５ｂにおける上下係合爪２５ｄ間の中間位置には、例えば幅方向に延びる上下スリット２５ｉにより画定された弾性片２５ｊが形成される。弾性片２５ｊの後面側には、後述する支持部材２６の複数の凹部２７ｋに選択的に係合可能な突部２５ｋが形成される。
【００４６】
ランバーサポート２５は、左右側辺７ｃの各々に取り付けられた一対の支持部材２６の間に架設される。ランバーサポート２５は、支持部材２６に対して上下移動可能に支持され、もって背受支持体７に対して上下方向で位置調整可能とされる。
【００４７】
ここで、ランバーサポート２５の設置位置には形状変更機構２４があるので、ランバーサポート２５は形状変更機構２４を避けて背受支持体７に支持する必要がある。具体的には、椅子幅方向に広幅の側辺７ｃの幅方向の外側領域に、形状変更機構２４の操作レバー２４ａが支持され、側辺７ｃの幅方向の内側領域に、ランバーサポート２５を支持する支持部材２６が支持される。支持部材２６は、側辺７ｃの内側領域に支持されて側辺７ｃ及び形状変更機構２４よりも幅方向内側に張り出し、この張り出し部分にランバーサポート２５の端部が上下移動可能に支持される。
【００４８】
ランバーサポート２５を上下移動可能とする支持構造を、断面形状が小型の側辺７ｃに直接設けると、ランバーサポート２５を設置しない場合に前記支持構造が目立ち易くなる。そこで、本実施形態では、側辺７ｃの背受体６と対向する前側に支持部材２６を固定するのみとし、この支持部材２６に対してランバーサポート２５を上下移動可能に支持する構成としたので、側辺７ｃに設ける支持構造を小型かつ簡素にし、ランバーサポート２５を設置しない場合にも前記支持構造を目立ち難くする。
【００４９】
＜支持部材＞
図９、図１０を参照し、支持部材２６は、側辺７ｃの前方突出部２１の上下に渡り前方突出部２１に沿うように湾曲して延びる支持部材本体２７と、支持部材本体２７の上下端部にそれぞれ締結される上下挟持部材２８，２９と、を有する。上下挟持部材２８，２９は、支持部材本体２７の長手方向で互いに離間する。支持部材２６における上下挟持部材２８，２９の間は、背受体６側に開放する開放部２６ａとされる。開放部２６ａには、形状変更機構２４の操作レバー２４ａの基端部２４ｂが配置される。すなわち、支持部材２６は、形状変更機構２４を避けて背受支持体７に取り付けられる。
【００５０】
一方、側辺７ｃの前方突出部２１の上下には、支持部材２６の上下をそれぞれ取り付ける上下支持部材取り付け部７ｅ，７ｆが設けられる。上下支持部材取り付け部７ｅ，７ｆは、前方突出部２１の側面視の頂点Ｔに対して上下に振り分けて配置されるが、上支持部材取り付け部７ｅは下支持部材取り付け部７ｆよりも頂点Ｔから大きく離間して配置される。
【００５１】
図１１、図１３を参照し、上下支持部材取り付け部７ｅ，７ｆはそれぞれ、補強リブ７ｃ２と、補強リブ７ｃ２の椅子幅方向外側に間隔を空けて略平行に立設される第二補強リブ７ｃ３と、両補強リブ間に形成される係合溝７ｃ４と、を有する。
また、上下支持部材取り付け部７ｅ，７ｆにおける補強リブ７ｃ２の先端部の幅方向内側には、幅方向内側に起立する内方突出部７ｃ５が形成される。内方突出部７ｃ５は、側辺７ｃの幅方向の内側端部の稜線Ｒよりも幅方向内側に突出する。前記稜線Ｒは、補強リブ７ｃ２の幅方向の内側面ｒ１上に位置する。補強リブ７ｃ２の幅方向内側には、支持部材本体２７が有する挟持片２７ａが配置される。挟持片２７ａの先端部（詳細には末端から板厚程度だけ基端側にずれた部位）には、幅方向外側に起立するフック部２７ｂが形成される。
【００５２】
フック部２７ｂは、その突出先端が補強リブ７ｃ２の幅方向の内側面ｒ１に当接するとともに、前端が内方突出部７ｃ５の後端に後方から当接する。挟持片２７ａは、締結ネジ３１による締結により、補強リブ７ｃ２に幅方向内側から押し付けられ、かつフック部２７ｂを内方突出部７ｃ５に後方から当接させた状態で、補強リブ７ｃ２に離脱不能に係合する。
【００５３】
支持部材本体２７は、その全長に渡る凹状の後面を形成する湾曲板部２７ｃを有する。湾曲板部２７ｃは、補強リブ７ｃ２の幅方向の内側面ｒ１近傍から幅方向内側かつ前方に向けて延出する。湾曲板部２７ｃは、図示の断面視で、幅方向外側かつ前方に凸の湾曲状をなし、椅子１の外側（後方）から見て凹状の後面を形成する。湾曲板部２７ｃの下部は、正面視で側辺７ｃの下部領域に沿うように幅方向内側に緩やかに湾曲する（図９参照）。湾曲板部２７ｃは、上部の断面形状に対して下部の断面形状の前後幅が大きくかつ左右幅が小さくなるように、緩やかに捩じれて上下に延びる。湾曲板部２７ｃの上下端部の幅方向外側には前記フック部２７ｂが形成され、この湾曲板部２７ｃの上下端部が前記挟持片２７ａを構成する。
【００５４】
図９、図１０、図１２、図１４を参照し、支持部材本体２７は、湾曲板部２７ｃの前面側に、ランバーサポート２５の幅方向端部を上下移動可能に保持するガイド部２７ｄを有する。ガイド部２７ｄは、図示の断面視で、湾曲板部２７ｃの幅方向内側の端部（詳細には末端から板厚程度だけ幅方向外側にずれた部位）の前面側から前方に起立する立壁２７ｅと、立壁２７ｅの先端部から幅方向外側に起立する先端壁２７ｆと、立壁２７ｅの基端側から幅方向外側に起立する基端壁２７ｇと、を有する。先端壁２７ｆ及び基端壁２７ｇは、前後方向で互い間隔を空けて略平行に配置され、これらの間に係合溝２７ｈが形成される。先端壁２７ｆ、基端壁２７ｇ及び係合溝２７ｈは、ランバーサポート２５の上下移動を案内するガイドレール２７ｉを構成する。
【００５５】
ガイドレール２７ｉは、湾曲板部２７ｃの上端近傍から側面視で湾曲板部２７ｃの上部に沿うように緩やかに湾曲して延びる。湾曲板部２７ｃの下部は、側辺７ｃの前方突出部２１に沿うように側面視の曲率を増すが、ガイドレール２７ｉはほぼ均等な曲率を維持する。ガイドレール２７ｉの下端は、側面視で前方突出部２１における頂点Ｔよりもやや下方となる高さで終端する。ガイドレール２７ｉの下方には、先端壁２７ｆの下方に連なるように延長壁２７ｊが形成される。延長壁２７ｊは、先端壁２７ｆに対して側面視の曲率を増して下後方に湾曲して延び、湾曲板部２７ｃの下端近傍に至る。
【００５６】
ランバーサポート２５の上下係合爪２５ｄは、ガイド部２７ｄの係合溝２７ｈに幅方向外側から差し込まれる。上下係合爪２５ｄは、サポート本体２５ａの平面視の湾曲により幅方向内側に引き込まれ、係合溝２７ｈへの差し込み状態を維持する。一方、サポート本体２５ａをその湾曲を伸ばすように弾性変形させることで、上下係合爪２５ｄを係合溝２７ｈに対して着脱可能である。
【００５７】
互いに対向する上下係合爪２５ｄと外側フランジ２５ｂとの間には、ガイドレール２７ｉの先端壁２７ｆが幅方向内側から差し込まれる。先端壁２７ｆの前面側には、上下に等間隔で並ぶ複数の凹部２７ｋが形成される。各凹部２７ｋには、ランバーサポート２５の前記弾性片２５ｊの突部２５ｋが選択的に係合する。弾性片２５ｊは、上下係合爪２５ｄに対して突部２５ｋを弾性的に進退させることで、各凹部２７ｋ間を移動可能であり、もってランバーサポート２５を上下方向で段階的に位置決め可能である。
【００５８】
支持部材本体２７は、湾曲板部２７ｃの前面側でガイドレール２７ｉの長手方向中間部と同等高さに、側辺７ｃの補強リブ７ｃ２に幅方向外側から係合する係合爪２７ｌを有する。係合爪２７ｌは、図示の断面視で、湾曲板部２７ｃの湾曲中間部から幅方向外側に起立する立壁２７ｍと、立壁２７ｍの先端部から後方に起立する係合壁２７ｎと、を有する。係合爪２７ｌは、係合壁２７ｎを補強リブ７ｃ２の幅方向外側に当接させて係合する。湾曲板部２７ｃ（挟持片２７ａ）の端縁前面側における係合爪２７ｌが形成される部位には、内方突出部７ｃ５よりも突出高さの低い端縁突部２７ｏが形成される。端縁突部２７ｏは、補強リブ７ｃ２の幅方向内側面ｒ１に当接し、この端縁突部２７ｏと係合爪２７ｌとで補強リブ７ｃ２を挟持可能とする。
【００５９】
＜上挟持部材＞
図９〜図１１を参照し、ガイド部２７ｄにおけるガイドレール２７ｉの上方に連なる上端部２７ｐの椅子幅方向外側には、上挟持部材２８の幅方向の内側端部が当接する。
上挟持部材２８は、前記内側端部から幅方向外側かつ後方へ、湾曲板部２７ｃの前面に沿うように湾曲して延びる。上挟持部材２８の外側後端部には、幅方向中間部に、側辺７ｃの上支持部材取り付け部７ｅの両補強リブ間の係合溝７ｃ４に差し込まれる差込突部２８ａが形成されるとともに、差込突部２８ａの幅方向外側に、第二補強リブ７ｃ３の幅方向外側で側辺本体部７ｃ１の前面に当接する当接突部２８ｂが形成される。
【００６０】
湾曲板部２７ｃの上端部の前面側には、幅方向外側かつ前方へ斜めに突出する締結ボス３３が形成される。締結ボス３３には、上挟持部材２８を幅方向外側かつ前方から貫通する締結ネジ３１が螺着され、この締結ネジ３１を締め込むことで、支持部材本体２７に上挟持部材２８が締結、固定される。上挟持部材２８の支持部材本体２７と対向する側には、締結ボス３３を入り込ませるボス用凹部２８ｃが形成される。ボス用凹部２８ｃの周囲には適宜肉抜きが施される。
【００６１】
ボス用凹部２８ｃの幅方向外側かつ後側には、図示の断面視で湾曲板部２７ｃ側ほど厚さを減少させる三角形状の楔状部２８ｄが形成される。楔状部２８ｄは、締結ボス３３の側面と補強リブ７ｃ２の先端面との間に差し込まれてこれらに当接する。楔状部２８ｄは、締結ネジ３１を締め込んだ際、支持部材本体２７に対して上挟持部材２８を後方に変位させ、挟持片２７ａのフック部２７ｂと補強リブ７ｃ２の内方突出部７ｃ５とを圧接させる。
【００６２】
補強リブ７ｃ２は、内方突出部７ｃ５を含めて図示の断面視で略Ｌ字形状をなし、この補強リブ７ｃ２に対し、幅方向内側及び後方から支持部材本体２７の挟持片２７ａが係合するとともに、幅方向外側及び前方から上挟持部材２８の差込突部２８ａ及び楔状部２８ｄが係合する。このとき、挟持片２７ａのフック部２７ｂが形成する角部と補強リブ７ｃ２及び内方突出部７ｃ５が形成する隅部との係合位置ｋ１と、補強リブ７ｃ２が形成する角部と差込突部２８ａ及び楔状部２８ｄが形成する隅部との係合位置ｋ２と、を結ぶ直線ｔ１に沿って、補強リブ７ｃ２が支持部材本体２７及び上挟持部材２８に挟み込まれる。
【００６３】
前記直線ｔ１は締結ネジ３１の軸方向（締結方向）と略平行をなし、締結ネジ３１の締結力は支持部材本体２７及び上挟持部材２８が補強リブ７ｃ２を挟み込む力（係合力）として作用する。このように、支持部材本体２７と上挟持部材２８とを互いに締結して補強リブ７ｃ２を挟持することで、支持部材２６が背受支持体７にガタなく強固に固定される。
【００６４】
ここで、背受支持体７の側辺７ｃの断面形状が小型である等の制限があり、かつ背受支持体７に形状変更機構２４を支持するような構成では、支持部材２６を固定する部位は側辺７ｃの内側端部になる。よって、支持部材２６に椅子幅方向内側への荷重が作用した際に、この荷重を支持する脚等を椅子幅方向内側に設置することが難しい。
そこで、本実施形態では、側辺７ｃにおける荷重受面と略直交する奥行方向で比較的厚みのある椅子幅方向内側の部位に、奥行方向に深さのある支持構造を設けることで、支持部材２６を背受支持体７に強固に固定可能としている。
【００６５】
また、支持部材２６が分割構造ではなく一体構造であると、断面視で略Ｌ字形状をなす補強リブ７ｃ２に支持部材２６を係合させる際、例えば支持部材２６を補強リブ７ｃ２の前記Ｌ字形状に沿うように回転させながら補強リブ７ｃ２に係合させることとなる。この場合、支持部材２６にガタ及び変位が生じ易く、かつ支持部材２６の取り付け作業時に補強リブ７ｃ２等の係合部を破損させる虞がある。
これに対し、本実施形態では、支持部材２６を分割構造として背受支持体７の支持構造を挟み込み、かつ支持部材２６を一体に締結する締結ネジ３１の締結力を利用して背受支持体７の係合部を挟持することでも、支持部材２６を背受支持体７にガタなく強固に固定可能としている。
【００６６】
さらに、薄型断面の背受支持体７の側辺７ｃにおいて、締結ネジ３１は傾斜した側辺本体部７ｃ１と略平行に傾斜して配置されており、締結ネジ３１にその延長方向から工具を着脱して作業する際にも側辺本体部７ｃ１に邪魔され難い。締結ネジ３１は支持部材２６における背受体６に対向する側に露出するので、椅子１の外観への影響が少ない。背受支持体７における支持部材２６の支持構造は、補強リブ７ｃ２に内方突出部７ｃ５を設けるとともに側辺本体部７ｃ１の前面に第二補強リブ７ｃ３を設けるのみで済むので、前記支持構造が小型かつ簡素になり、ランバーサポート２５を設置しない場合にも前記支持構造が目立ち難くい。
【００６７】
＜下挟持部材＞
図９、図１０、図１３を参照し、ガイド部２７ｄの下部における延長壁２７ｊの下端部の後方に連なる下端部２７ｑには、下挟持部材２９の幅方向の内側面が当接する。
下挟持部材２９は、前記内側面から幅方向外側かつ後方へ、湾曲板部２７ｃの前面に沿うように湾曲して延びる。下挟持部材２９の外側後端部には、幅方向中間部に、側辺７ｃの下支持部材取り付け部７ｆの両補強リブ間の係合溝７ｃ４に差し込まれる差込突部２９ａが形成されるとともに、差込突部２９ａの幅方向外側に、第二補強リブ７ｃ３の幅方向外側で側辺本体部７ｃ１の前面に当接する当接突部２９ｂが形成される。
【００６８】
湾曲板部２７ｃの下端部の前面側には、幅方向外側かつ前方へ斜めに突出する締結ボス３３が形成される。締結ボス３３には、下挟持部材２９を幅方向外側かつ前方から貫通する締結ネジ３１が螺着され、この締結ネジ３１を締め込むことで、支持部材本体２７に下挟持部材２９が締結、固定される。上挟持部材２８の支持部材本体２７と対向する側には、締結ボス３３を入り込ませるボス用凹部２９ｃが形成される。ボス用凹部２９ｃの周囲には適宜肉抜きが施される。
【００６９】
ボス用凹部２９ｃの幅方向外側かつ後面には、図示の断面視で湾曲板部２７ｃ側ほど厚さを減少させる三角形状の楔状部２９ｄが形成される。楔状部２９ｄは、締結ボス３３の側面と補強リブ７ｃ２の先端面との間に差し込まれてこれらに当接する。楔状部２９ｄは、締結ネジ３１を締め込んだ際、支持部材本体２７に対して下挟持部材２９を後方に変位させ、挟持片２７ａのフック部２７ｂと補強リブ７ｃ２の内方突出部７ｃ５とを圧接させる。
【００７０】
補強リブ７ｃ２は、内方突出部７ｃ５を含めて図示の断面視で略Ｌ字形状をなし、この補強リブ７ｃ２に対し、幅方向内側及び後方から支持部材本体２７の挟持片２７ａが係合するとともに、幅方向外側及び前方から下挟持部材２９の差込突部２９ａ及び楔状部２９ｄが係合する。このとき、挟持片２７ａのフック部２７ｂが形成する角部と補強リブ７ｃ２及び内方突出部７ｃ５が形成する隅部との係合位置ｋ３と、補強リブ７ｃ２が形成する角部と差込突部２９ａ及び楔状部２９ｄが形成する隅部との係合位置ｋ４と、を結ぶ直線ｔ２に沿って、補強リブ７ｃ２が支持部材本体２７及び下挟持部材２９に挟み込まれる。
【００７１】
前記直線ｔ２は締結ネジ３１の軸方向（締結方向）と略平行をなし、締結ネジ３１の締結力は支持部材本体２７及び下挟持部材２９が補強リブ７ｃ２を挟み込む力（係合力）として作用する。このように、支持部材本体２７と下挟持部材２９とを互いに締結して補強リブ７ｃ２を挟持することで、支持部材２６が背受支持体７にガタなく強固に固定される。
【００７２】
＜３つの係合部＞
図１１、図１３を参照し、支持部材２６は、背受支持体７の上下支持部材取り付け部７ｅ，７ｆに対し、それぞれ椅子幅方向に並ぶ３つの係合部を有する。具体的には、幅方向内側の係合部は挟持片２７ａ、幅方向外側の係合部は当接突部２８ｂ，２９ｂ、幅方向中央部の係合部は差込突部２８ａ，２９ａに相当する。
【００７３】
各係合部の内、幅方向中央の差込突部２８ａ，２９ａは、側辺７ｃの係合溝７ｃ４に対し、他の係合部の側辺７ｃへの係合位置（当接位置）よりも奥行方向で深く差し込まれて係合する。具体的には、差込突部２８ａ，２９ａと係合溝７ｃ４との係合位置は、差込突部２８ａ，２９ａの先端と係合溝７ｃ４の内側面とが当接する位置であり、挟持片２７ａと補強リブ７ｃ２との係合位置は、フック部２７ｂと内方突出部７ｃ５とが当接する位置であり、当接突部２８ｂ，２９ｂと側辺本体部７ｃ１との係合位置は、当接突部２８ｂ，２９ｂの先端と側辺本体部７ｃ１の前面とが当接位置である。奥行方向の深さは、補強リブ７ｃ２の先端面からの深さである。
【００７４】
これにより、ランバーサポート２５に着座者の荷重が加わり、支持部材２６におけるランバーサポート２５を支持する先端部（背受支持体７に係合する基端部とは反対側の先端部）に幅方向内側への荷重が加わり、支持部材２６の背受支持体７に係合する基端部を支点に支持部材２６を幅方向内側に倒そうとするモーメントＭが作用しても、支持部材２６の倒れが効果的に抑制される。
【００７５】
すなわち、支持部材２６に上述のモーメントが作用し、支持部材２６が幅方向内側の係合部（挟持片２７ａ）の係合位置を支点に椅子幅方向内側に倒れようとしても、奥行方向に深く差し込まれた差込突部２８ａ，２９ａは単に係合溝７ｃ４から抜け出ることなく係合溝７ｃ４の内側面に押し付けられる。このため、支持部材２６の幅方向内側への倒れが抑制される。
【００７６】
また、支持部材２６に幅方向外側への倒れモーメントが作用し、支持部材２６が幅方向外側の係合部（当接突部２８ｂ，２９ｂ）の係合位置を支点に幅方向外側に倒れようとしても、差込突部２８ａ，２９ａが上記同様に機能して支持部材２６の幅方向外側への倒れが抑制される。なお、支持部材２６の幅方向外側への倒れは、挟持片２７ａのフック部２７ｂが補強リブ７ｃ２の内方突出部７ｃ５に係合すること、及び当接突部２８ｂ，２９ｂが側辺本体部７ｃ１の内面に当接することでも規制される。
そして、互いに幅方向で離間する第一及び第二の係合部並びにこれらの間の第三の係合部という三点の係合位置により、支持部材２６が背受支持体７に対して安定して支持される。
【００７７】
このように、支持部材２６の背受支持体７への取り付け面積を椅子幅方向で確保し難い場合でも、支持部材２６の椅子幅方向の変位を抑制してしっかりと固定することができる。また、支持部材２６における椅子幅方向外側に位置する当接突部２８ｂ，２９ｂは、補強リブ７ｃ２から椅子幅方向外側に離間して側辺本体部７ｃ１の前面に当接するのみであり、支持部材２６の支持を安定させる一方、側辺本体部７ｃ１の前面に凹凸等の形成を必要としないので、側辺本体部７ｃ１のヒケの発生が抑制され、椅子１の外観への影響を抑える。
【００７８】
＜作用＞
以下、本実施形態の作用について説明する。
まず、背受体６の張材１９に着座者の身体から後向きの荷重が入力されると、張材１９が後方に撓みつつ荷重を受け止める。このとき、背受体６の湾曲変更により張材１９の腰部位置に張力が低下した部位が生じても、後方に撓んだ張材１９がランバーサポート２５に当接し、前記荷重の一部がランバーサポート２５に入力される。よって、背受体６の良好な着座感及びサポート感が保たれる。また、張材１９がランバーサポート２５にバックアップされることで、張材１９の弾性変形量が制限され、かつ張材１９の弛みの発生も抑えられる。
【００７９】
前記荷重の一部がランバーサポート２５に入力されると、ランバーサポート２５の端部を背受支持体７の側辺７ｃに支持する支持部材２６には、側辺７ｃとの係合位置を支点に椅子幅方向内側への倒れモーメントが作用する。
【００８０】
一方、支持部材２６は、側辺７ｃにおける内方突出部７ｃ５を有する補強リブ７ｃ２に対し、支持部材本体２７におけるフック部２７ｂを有する挟持片２７ａを椅子幅方向内側かつ後方から係合させ、かつ支持部材本体２７とは別体の挟持部材の外側後端部を椅子幅方向外側かつ前方から係合させ、この状態で支持部材本体２７と挟持部材とを補強リブ７ｃ２への係合力を強める方向で締結する。これにより、側辺７ｃの断面形状の厚さ及び幅が小さく、側辺７ｃに対する支持部材２６の取り付け範囲が狭いという制約の中であっても、支持部材２６を側辺７ｃの所定部位に単に嵌め込んで固定するような構造と比べて、固定強度が高くかつ側辺７ｃに対する着脱作業の容易性及び確実性が得られる。
【００８１】
また、支持部材２６が椅子幅方向に並ぶ３つの係合部を有し、これらの内の椅子幅方向中央の係合部が、椅子幅方向両側の係合部に対して、側辺７ｃに奥行方向で深く差し込まれて係合することで、椅子幅方向両側の係合部の係合位置を支点に支持部材２６に椅子幅方向で倒そうとする力が作用しても、椅子幅方向中央の係合部の係合位置が奥行方向で深い位置にあることで、支持部材２６の椅子幅方向の倒れが抑止され、ランバーサポート２５の荷重支持性能が高まる。
【００８２】
以上説明したように、上記実施形態の椅子用荷重支持構造は、着座者と接して荷重を受ける荷重受面の外形に沿うように形成される外枠形成部材（背受支持体７）と、前記外枠形成部材に取り付けられ、前記荷重受面と略平行な副荷重受面を形成する荷重受面構成部材（ランバーサポート２５）と、を備え、前記荷重受面構成部材は、前記外枠形成部材に支持部材２６を介して支持され、前記支持部材２６は、締結具（締結ネジ３１）を用いて互いに締結される第一締結部材（支持部材本体２７）及び第二締結部材（上下挟持部材２８，２９）を備え、前記第一締結部材及び第二締結部材は、前記締結具の締め込みにより前記外枠形成部材の支持部材取り付け部７ｅ，７ｆに取り付けられる。
この構成によれば、支持部材２６の締結具を第一締結部材及び第二締結部材の締結とともに外枠形成部材への固定にも用いることができる。そして、締結具の締結力により第一締結部材及び第二締結部材を外枠形成部材の支持部材取り付け部７ｅ，７ｆに強固に固定することで、ガタのない堅牢な取り付け構造とすることができる。
このため、荷重受面構成部材が変形許容部から着座者の荷重を受けた際に、支持部材２６に外枠形成部材への固定部を支点とした倒れモーメントが作用しても、このモーメントと反対回りのモーメントが生じるように、支持部材２６の固定部に強固な反力をもたせることが可能となる。
したがって、外枠形成部材の断面形状が小型であったり薄く形成されたりする場合でも、外枠形成部材の小さな面積で支持部材２６を堅牢に固定し、もって荷重受面構成部材で着座者の荷重をしっかり受けることができる。
【００８３】
また、上記椅子用荷重支持構造において、前記外枠形成部材は、前記荷重受面と交差する奥行方向で前記支持部材２６側に突出する突部（補強リブ７ｃ２）を備え、前記第一締結部材は、前記突部に前記荷重受面の面方向の内側方から嵌合する第一嵌合部（挟持片２７ａ）を備え、前記第二締結部材は、前記突部に前記面方向の外側方から嵌合する第二嵌合部（差込突部２８ａ，２９ａ）を備え、前記第一締結部材及び第二締結部材は、前記締結具の締め込みにより、前記第一嵌合部及び第二嵌合部で前記突部を挟持する構成でもよい。
この構成によれば、荷重受面と交差する奥行方向（荷重入力方向）に突出する突部を、奥行方向と交差する方向で挟持（締結）することで、外枠形成部材における荷重受面の面方向の小さな面積で支持部材２６を堅牢に固定し、もって荷重受面構成部材で着座者の荷重をしっかり受けることができる。この構成は、外枠形成部材が薄く形成されている場合に特に有効である。
【００８４】
また、上記椅子用荷重支持構造において、前記締結具は、前記面方向及び奥行方向の両方と交差する方向で、前記第一締結部材及び第二締結部材を締結する構成でもよい。
この構成によれば、締結具の締結力を荷重受面と交差する奥行方向（荷重入力方向）にも作用させることで、支持部材２６の固定面積を小さくしながらも、荷重受面から荷重受面構成部材に入力される荷重に対する支持部材２６の固定強度を高めることができる。
【００８５】
また、上記椅子用荷重支持構造において、前記第一締結部材は、前記第二締結部材に対して前記面方向の内側方に配置され、前記荷重受面構成部材は、前記第一締結部材における前記第一嵌合部から前記奥行方向に離間した先端部に支持され、前記締結具は、前記面方向の外側方より前記第二締結部材に挿入され、前記第一締結部材における前記第一嵌合部と先端部との間に螺合される構成でもよい。
この構成によれば、荷重受面構成部材に荷重受面から荷重が入力されると、第一締結部材に第二締結部材の締結部を支点としたモーメントが作用し、第一締結部材の第一嵌合部が突部に嵌合する方向に引き寄せられる。これにより、前記モーメントと反対回りのモーメントを生じさせるとともに、第一嵌合部の突部への嵌合力を高めることができる。
【００８６】
また、上記椅子用荷重支持構造において、前記突部は、その先端側に前記面方向の内側方に突出する内方突出部７ｃ５を備え、前記第一締結部材は、前記内方突出部７ｃ５に前記突部の基端側から係合するフック部２７ｂを備える構成でもよい。
この構成によれば、内方突出部７ｃ５及びフック部２７ｂにより、第一締結部材と外枠形成部材との接触面積を増加させるとともに、第一締結部材ひいては支持部材２６の突部ひいては外枠形成部材からの離脱を効果的に抑止することができる。また、締結具による締結力によって第一締結部材が第二締結部材側へ引き寄せられたときに、より緊密に外枠形成部材の突部に嵌合させることができる。さらに、内方突出部７ｃ５は面方向の内側方へ延びるが、この内方突出部７ｃ５に対し、第一締結部材に第二締結部材の締結部を支点としたモーメントが作用した際には、第一締結部材の第一嵌合部が突部に嵌合する方向に引き寄せられるので、大きな荷重に対しても堅牢な取り付け状態を維持することができる。
【００８７】
また、上記椅子用荷重支持構造において、前記第一締結部材は、前記荷重受面の面方向に沿うように長手方向を有し、前記支持部材２６は、前記第一締結部材の長手方向の端部に前記第二締結部材を締結するとともに、前記第一締結部材の長手方向の端部を除く部位には、前記荷重受面側に開放する開放部２６ａを形成する構成でもよい。
この構成によれば、荷重受面の面方向において、支持部材２６の固定に要する部位を少なくするとともに、支持部材２６の開放部２６ａに対応する部位に他の機能部品を配設することができる。
【００８８】
また、上記椅子用荷重支持構造において、前記荷重受面構成部材は、前記支持部材２６とは別部材として構成され、前記支持部材２６に対して前記荷重受面の面方向で位置調整可能に支持される構成でもよい。
この構成によれば、荷重受面構成部材を荷重受面の面方向で位置調整することで、荷重受面構成部材を最小限のサイズとした上で、荷重受面の面方向に広い範囲で荷重受面構成部材を補助的な荷重支持部材として機能させることができる。
【００８９】
また、本実施形態は、上記した何れか一つの椅子用荷重支持構造を背凭れに備える椅子１でもある。
この構成によれば、上記した何れか一つの椅子用荷重支持構造を背凭れに備えることで、着座者の背中から入力される荷重に対し、荷重受面構成部材をより堅牢に外枠形成部材に支持することができる。
【００９０】
また、上記椅子１において、前記荷重受面構成部材がランバーサポート２５であり、該ランバーサポート２５とは別に、前記荷重受面を形成する主荷重受面構成部材（張材１９）が前記外枠形成部材に支持される構成でもよい。
この構成によれば、外枠形成部材に支持された主荷重受面構成部材により、支持部材２６等が外観上目立ち難くなり、より外観体裁に優れた椅子１とすることができる。
【００９１】
なお、本発明は上記実施形態に限られるものではなく、例えば、外枠部に張材を張設した構成の背凭れを備える椅子に限らず、外枠部を含む基板にクッション材及び表皮等を設けたり、クッション材を用いず表皮材のみで基板を覆ったり、基板のみとした構成の背凭れを備える椅子に適用してもよい。
支持部材は、締結具の締め込みにより支持部材取り付け部の突部を挟持して嵌合する構成に限らず、締結具の締め込みにより支持部材取り付け部内で拡開して嵌合する構成であってもよい。
ランバーサポートは、荷重受面の所定以上の変形を抑える補助部材としての荷重受面構成部材であるが、この荷重受面構成部材はランバーサポートに限らず、高さ方向のどの位置にあってもよい。また、荷重受面構成部材は、幅方向に延びる帯形状に限らず、左右側辺間の空間を広く覆うようなパネル形状であってもよい。さらに、荷重受面構成部材は、背凭れ支持体ではなく背凭れの外枠部（例えば背板枠１８）に支持される構成（すなわち背受体６の一部をなす構成）であり荷重受面を形成する構成であってもよい。本発明は、背凭れに限らず座体等の荷重支持部材に適用してもよい。
【符号の説明】
【００９２】
１  椅子
６  背受体
７  背受支持体（外枠形成部材）
７ｃ２  補強リブ（突部）
７ｃ５  内方突出部
７ｅ  上支持部材取り付け部（支持部材取り付け部）
７ｆ  下支持部材取り付け部（支持部材取り付け部）
８  背凭れ部（背凭れ）
１８  背板枠（外枠形成部材）
１９  張材（主荷重受面構成部材）
２５  ランバーサポート（荷重受面構成部材）
２６  支持部材
２６ａ  開放部
２７  支持部材本体（第一締結部材）
２７ａ  挟持片（第一嵌合部）
２７ｂ  フック部
２８  上挟持部材（第二締結部材）
２８ａ  差込突部（第二嵌合部）
２９  下挟持部材（第二締結部材）
２９ａ  差込突部（第二嵌合部）
３１  締結ネジ（締結具）
【図１】
0006566543.tif 000002
【図２】
0006566543.tif 000003
【図３】
0006566543.tif 000004
【図４】
0006566543.tif 000005
【図５】
0006566543.tif 000006
【図６】
0006566543.tif 000007
【図７】
0006566543.tif 000008
【図８】
0006566543.tif 000009
【図９】
0006566543.tif 000010
【図１０】
0006566543.tif 000011
【図１１】
0006566543.tif 000012
【図１２】
0006566543.tif 000013
【図１３】
0006566543.tif 000014
【図１４】
0006566543.tif 000015
【図１５】
0006566543.tif 000016